(57)【要約】      （修正有）【課題】衣服等の被装着物に対する着脱を可能にした新規な温熱具、及び、温熱具が被装着物に装着された温熱具取り付け構造体を提供する。【解決手段】シート状の温熱具本体２と、温熱具本体２に内蔵された電熱線２１に接続されたコード３と、コード３の中程に配されたスイッチ４と、を具備してなる温熱具１であって、衣服やリュックの被装着物に対する着脱が可能となるように、温熱具本体２の裏面側に面ファスナ５を設ける。【選択図】図１
0003227326.tif 000002
【実用新案登録請求の範囲】
【請求項１】
人体に温熱を付与するための温熱具であって、
シート状の温熱具本体と、
前記温熱具本体に内蔵された電熱線に接続されたコードと、
前記コードの中程に配された、電力供給の開始や停止、又は、供給する電力の強弱を命令するためのスイッチと、
を具備してなり、
衣服やリュックなどの被装着物に対する着脱が可能となるように、前記温熱具本体の裏面側に面ファスナが設けられてなることを特徴とする温熱具。
【請求項２】
請求項１に記載の温熱具において、
前記コードが前記温熱具本体の表面側を通じて前記電熱線に接続されてなる温熱具。
【請求項３】
請求項１又は２に記載の温熱具において、
前記スイッチにクリップが設けられてなる温熱具。
【請求項４】
請求項１ないし３のいずれか１項に記載の温熱具と、
前記温熱具が装着される被装着物と、
を具備してなり、
前記温熱具本体が、前記面ファスナを介して前記被装着物に固定されてなることを特徴とする温熱具取り付け構造。
【考案の詳細な説明】
【技術分野】
【０００１】
本考案は、人体に温熱を付与するための温熱具、及び、前記温熱具が被装着物に装着された温熱具取り付け構造に関する。
【背景技術】
【０００２】
最近、人体に温熱を付与することができる衣服が開発されており、主に冬季の作業現場やレジャー等において使用されている（例えば、下記特許文献１参照）。
【先行技術文献】
【特許文献】
【０００３】
【特許文献１】特開２０１６‐３０８７５
【考案の概要】
【考案が解決しようとする課題】
【０００４】
この種の衣服（以下、「温熱服」と称する。）は、衣服本体の適宜箇所に電熱線を設け、電池等の携帯電源からコードを介して供給される電力を受けて発熱が生じる仕組みとなされたものである。前記電熱線に対する電力供給の開始や停止の命令は、前記温熱服の着用者がスイッチを操作することによって行われる。
【０００５】
ところで、前記温熱服は、一般的な衣服と同様、汚れに応じて洗濯する必要がある。従って、前記温熱服を洗濯するにあたっては、衣服本体に固定された電熱線やスイッチも洗濯に供されることになる。
【０００６】
しかしながら、洗濯の際に、前記スイッチの内部に水が浸入したり、電熱線に応力が掛かって断線したりして故障等の不具合が生じる場合がる。又、前記温熱服を洗濯している間、別の温熱服を用意できなければ、寒さを我慢して普通の衣服を着用するしかない。
【０００７】
本考案は前記技術的課題に鑑みて開発されたものであり、衣服等の被装着物に対する着脱を可能にした新規な温熱具、及び、前記温熱具が被装着物に装着された温熱具取り付け構造を提供することを目的とする。
【課題を解決するための手段】
【０００８】
前記技術的課題を解決する本考案の温熱具は、人体に温熱を付与するための温熱具であって、シート状の温熱具本体と、前記温熱具本体に内蔵された電熱線に接続されたコードと、前記コードの中程に配された、電力供給の開始や停止、又は、供給する電力の強弱を命令するためのスイッチと、を具備してなり、衣服やリュックなどの被装着物に対する着脱が可能となるように、前記温熱具本体の裏面側に面ファスナが設けられてなることを特徴とする（以下、「本考案温熱具」と称する。）。
【０００９】
前記本考案温熱具においては、前記コードが前記温熱具本体の表面側を通じて前記電熱線に接続されてなるものが好ましい態様となる。
【００１０】
前記本考案温熱具においては、前記スイッチにクリップが設けられてなるものが好ましい態様となる。
【００１１】
前記技術的課題を可決する本考案の温熱具取り付け構造は、前記本考案温熱具と、前記温熱具が装着される被装着物と、を具備してなり、前記温熱具本体が、前記面ファスナを介して前記被装着物に固定されてなることを特徴とする（以下、「本考案取り付け構造」と称する。
【考案の効果】
【００１２】
本考案によれば、衣服やリュック等の被装着物に対して本考案温熱具の着脱が可能な本考案取り付け構造を構築することができる。
【図面の簡単な説明】
【００１３】
【図１】図１は、本考案温熱具の一実施形態を表面側から示す斜視図（ａ）と、前記本考案温熱具を裏面側から示す斜視図（ｂ）である。
【図２】図２は、前記本考案温熱具が被装着物に取り付けられた本考案取り付け構造を示す正面図である。
【考案を実施するための形態】
【００１４】
以下、本考案の実施形態を、図面を参照しながら説明するが、本考案はこれらの実施形態に限定されるものではない。
【００１５】
＜本考案温熱具１＞
図１に、本考案温熱具１の一実施形態を示す。前記本考案温熱具１は、「温熱具本体（２）」と、「コード（３）」と、「スイッチ（４）」と、「面ファスナ（５）」と、を具備する。
【００１６】
‐温熱具本体２‐
前記温熱具本体２は、シート状の全体形状を有する。本実施形態においては、二枚の矩形の布シートの間にパルス状に屈曲した電熱線２１を挟むことによって前記温熱具本体２を構築した。なお、前記温熱具本体２の表面側には、前記電熱線２１にアクセスし得るコード接続孔（十字孔）２２が設けられている。
【００１７】
‐コード３‐
前記コード３は、前記温熱具本体２に内蔵された電熱線２１に接続される。本実施形態においては、前記コード３としてＤＣケーブルを用い、前記コード接続孔２２を通じて前記コード３の一端を前記電熱線２１に接続している。なお、前記コード３の他端側の末端には、ＤＣプラグ３１が設けられている。
【００１８】
‐スイッチ４‐
前記スイッチ４は、前記コード３の中ほどに配されて、前記電熱線２１に対する電力供給の開始や停止、又は、供給する電力の強弱を命令する役割を担う。本実施形態においては、前記スイッチ４として、表面側に配されたボタン４１を押す回数によって供給する電力量を段階的に調整できる仕組みのものを用いた。なお、前記スイッチ４の裏面側には樹脂製のクリップ４２が設けられている。
【００１９】
‐面ファスナ５‐
前記面ファスナ５は、前記温熱具本体２の裏面側に設けられる。本実施形態においては、前記面ファスナ５として表面にフック状の起毛を有するものを選択し、これを前記温熱具本体２の裏面側の両端部に接着することによって前記面ファスナ５を前記温熱具本体２の裏面側に設けた。
【００２０】
＜本考案取り付け構造１０＞
図２に、前記構成を有する本考案温熱具１を用いた本考案取り付け構造１０を示す。前記本考案取り付け構造１０は、前記本考案温熱具１と、「被装着物（６）」と、を具備する。
【００２１】
‐被装着物６‐
前記被装着物６は、前記本考案温熱具１の温熱具本体２が取り付けられる対象物である。本考案において前記被装着物６は、衣服のみならず、リュック等の人体に接触して使用される装備品を意味する。本実施形態においては、前記被装着物６として作業用ベストを選択した。なお、前記被装着物６の後見頃内面には、一対の帯状の面ファスナ（表面にループ状の起毛を有するもの）５１が設けられている。
【００２２】
そして、前記本考案取り付け構造１０は、前記本考案温熱具１の前記温熱具本体２が、前記面ファスナ５を介して前記被装着物６に固定された構造を有する。本実施形態においては、前記温熱具本体２に設けられた前記面ファスナ５を前記被装着物６に設けた面ファスナ５１に接触させることによって、前記温熱具本体２を前記被装着物６に固定した。
【００２３】
この際、前記スイッチ４は、前記クリップ４２を利用して前記被装着物６の内ポケットに取り付けた。又、前記コード３の末端に設けられたＤＣプラグ３１は、携帯用のバッテリー（Ｂ）に接続した。なお、電力の供給及び開始は、前記バッテリー（Ｂ）を操作することによって行い得る仕組みとした。
【００２４】
このようにして構築される本考案取り付け構造１０は、前記本考案温熱具１が前記被装着物６に対して着脱可能となる。これより前記本考案取り付け構造１０では、洗濯などの必要に応じて前記被装着物６から前記本考案温熱具１を取り外すことができる。又、使用の状況に応じて別の被装着物６を選択し、被装着物６の異なる本考案取り付け構造１０を適宜構築することもできる。
【００２５】
ところで、本実施形態においては、前記本考案温熱具１につき、矩形の温熱具本体２を有するものとしているが、前記温熱具本体２の形状は特に限定されない。
【００２６】
又、本実施形態においては、前記コード３につき前記温熱具本体２の表面側を通じて前記電熱線２１に接続しているが、前記電熱線２１に対する前記コード３の接続は、前記温熱具本体２の表面側やエッジを通じて行っても良い。但し、前記コード３につき前記温熱具本体２の表面側を通じて前記電熱線２１に接続すれば、使用時において前記コード３の自由度が高くなり、その結果、断線等の不具合が生じ難くなることが確認されている。
【００２７】
更に、本実施形態においては、前記スイッチ４につき、裏面にクリップ４２が設けられたものを用いているが、本考案温熱具１において、前記クリップ４２は必須構成要件ではない。但し、前記スイッチ４にクリップ４２が設けられていると、本考案取り付け構造１０の構築の際に前記スイッチを前記被装着物６の適宜個所に簡易的に取り付けることができる利点が生じる。
【００２８】
加えて、本実施形態においては、前記温熱具本体２に設ける面ファスナ５として表面にフック状の起毛を有するものを選択し、これを前記被装着物６に設けた面ファスナ（表面にループ状の起毛を有するもの）５１に接触させることによって前記温熱具本体２を前記被装着物６に固定しているが、温熱具本体２側の面ファスナ５をループ状の起毛を有するものとし、被装着物６側の面ファスナ５１をフック状の起毛を有するものとしても良い。但し、温熱具本体２側の面ファスナ５をフック状の起毛を有するものとすれば、被装着物６の素材によっては、被装着物６に面ファスナ５１を設けなくても取り付け可能となる場合がある。
【００２９】
なお、本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は登録実用新案請求の範囲によって示すものであって、明細書本文には何ら拘束されない。更に、登録実用新案請求の範囲の均等範囲に属する変形や変更は、すべて本考案の範囲内のものである。
【産業上の利用可能性】
【００３０】
本考案は、冬季の作業現場やレジャー等における温熱を与える手段として好適に利用される。
【符号の説明】
【００３１】
１  本考案温熱具（温熱具）
２  温熱具本体
２１  電熱線
２２  コード接続孔
３  コード
３１  ＤＣプラグ
４  スイッチ
４１  ボタン
４２  クリップ
５  面ファスナ
６  被装着物
１０  本考案取り付け構造（温熱具取り付け構造）
【図１】
0003227326.tif 000003
【図２】
0003227326.tif 000004
【手続補正書】
【提出日】令和2年5月26日(2020.5.26)
【手続補正１】
【補正対象書類名】実用新案登録請求の範囲
【補正対象項目名】全文
【補正方法】変更
【補正の内容】
【実用新案登録請求の範囲】
【請求項１】
人体に温熱を付与するための温熱具であって、
シート状の温熱具本体と、
前記温熱具本体に内蔵された電熱線に接続されたコードと、
前記コードの中程に配された、電力供給の開始や停止、又は、供給する電力の強弱を命令するためのスイッチと、
を具備してなり、
被装着物に対する着脱が可能となるように、前記温熱具本体の裏面側に面ファスナが設けられてなることを特徴とする温熱具。
【請求項２】
請求項１に記載の温熱具において、
前記コードが前記温熱具本体の表面側を通じて前記電熱線に接続されてなる温熱具。
【請求項３】
請求項１又は２に記載の温熱具において、
前記スイッチにクリップが設けられてなる温熱具。
【請求項４】
請求項１ないし３のいずれか１項に記載の温熱具と、
前記温熱具が装着される被装着物と、
を具備してなり、
前記温熱具本体が、前記面ファスナを介して前記被装着物に固定されてなることを特徴とする温熱具取り付け構造体。